【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】
コイン(14)が転がるコイン通路(108)を形成するガイドレール(22)、前記ガイドレール(22)上を転がるコイン(14)を選別する非キャンセル位置(133)とキャンセル位置(135)に移動可能なゲージ装置(16)、前記ゲージ装置(16)の下流に配置され、コイン通路(108)内のコインの半径よりもガイドレール(22)から遠いキャンセル位置(143)とコイン通路(108)外の非キャンセル位置(145)に前記ゲージ装置(16)と連動して移動可能なストッパ(28)、を含むコイン選別装置のコインキャンセル装置。
【請求項２】
前記ストッパ(28)の下流にコインセンサ(164)を配置し、前記コインセンサ(164)の検知信号に基づいて、前記ゲージ装置(16)及びストッパ(28)を前記非キャンセル位置(133，145)から前記キャンセル位置(135，143)へ移動させる請求項１のコイン選別装置のコインキャンセル装置。
【請求項３】
投入口(12)から出口(18)へコイン(14)を案内するガイドレール(22)と、前記ガイドレール(22)と平行に所定の間隔で配置された大径ゲージ(24)と、前記大径ゲージ(24)の側方に前記ガイドレール(22)と平行に配置された枢軸(126)を支点に枢軸運動可能な小径ゲージ(26)と、前記小径ゲージ(26)を非キャンセル位置(133)に保持するストップ片(158)と、前記小径ゲージ(26)を非キャンセル位置(133)とキャンセル位置(135)に移動させる移動装置(30)と、前記小径ゲージ(26)から前記ガイドレール(22)側に伸びるレバー(180)からコイン通路(108)内のコインの半径よりもガイドレール(22)から遠いキャンセル位置(143)とコイン通路(108)外の非キャンセル位置(145)に前記小径ゲージ(26)に連動して移動可能なストッパ(28)、を含むコイン選別装置のコインキャンセル装置。
【請求項４】
コイン(14)が転がるコイン通路(108)を形成するガイドレール(22)、前記ガイドレール(22)上を転がるコイン(14)を選別するゲージ装置(16)、前記ゲージ装置(16)の下流に配置され、コイン通路(108)内のコインの半径よりもガイドレール(22)から遠いキャンセル位置(143)とコイン通路(108)外の非キャンセル位置(145)に移動可能なストッパ(28)、前記ゲージ装置(16)及びストッパ(28)を前記キャンセル位置(135，143)と前記非キャンセル位置(133，145)に移動するソレノイド(150)、前記ストッパ(28)の下流の前記コイン通路(108)に沿って配置されたコイン(14)のセンサ(164)、前記センサ(164)のコイン検知に基づいて前記ソレノイド(150)を消磁して前記ストッパ(28)を前記キャンセル位置(143)に移動させるキャンセル回路(169)、を含むコイン選別装置のコインキャンセル装置。
【手続補正２】
【補正対象書類名】明細書
【補正対象項目名】００４５
【補正方法】変更
【補正の内容】
【００４５】
図7に示すように、キャンセル片82のコインの下流側端部からレバー180が下方に突出し、その中間から傾斜通路114に向かってストッパ28が突出している。
ストッパ28は傾斜通路114に突入した場合、コイン14の中心よりも傾斜ガイドレール48から遠い位置に進退する。
換言すれば、キャンセル片82がキャンセル位置135(図5において鎖線位置)に移動されたとき、ストッパ28は傾斜通路114に移動してキャンセル位置143に位置してコイン14の転動を強制的に阻止し、傾斜ガイドレール48から落下させてキャンセルする。
【手続補正３】
【補正対象書類名】明細書
【補正対象項目名】００４７
【補正方法】変更
【補正の内容】
【００４７】
下流側面141は、傾斜通路114に対しほぼ直交している。
もし、後述の第１コインセンサ164を通過した後、接続した糸によってコインを戻そうとした場合、そのコインの上向き円弧面が下流側面141の下縁に係止されて傾斜ガイドレール48へ向かう反力を受けるので、コイン14はストッパ28を通過することができない。
結果として、コインの引き戻しによる不正は防止される。
【手続補正４】
【補正対象書類名】明細書
【補正対象項目名】００４９
【補正方法】変更
【補正の内容】
【００４９】
図６に示すように、スライド板138に大径ベアリング溝122と平行に第１ガイド溝144及び第2ガイド溝146が形成され、キャンセル片８２の端面のピン148が小径コインに対応する第2ガイド溝146に挿入されている。
図４に示すように、アクチュエータ134は、ベース32に固定されたソレノイド150、プランジャ152及びプランジャ152のリターンスプリング154を含んでいる。
プランジャ152の先端にリンク140が固定され、リンク140の先端にスライド板138が固定されている。  
【手続補正５】
【補正対象書類名】明細書
【補正対象項目名】００５０
【補正方法】変更
【補正の内容】
【００５０】
したがって、ソレノイド150が励磁されない場合、プランジャ152はリターンスプリング154によって突出されているので、リンク140を介してスライド板138が上方に引き上げられる。
これにより、ガイド溝146及びピン148を介してキャンセル片82は、図5において時計方向に移動され、キャンセル片82の上面がベース32のストッパ(図示せず)に突き当たって鎖線で示したキャンセル位置135に保持される。
【手続補正６】
【補正対象書類名】明細書
【補正対象項目名】００５６
【補正方法】変更
【補正の内容】
【００５６】
スライド板138は、キャンセル片82に一体に形成したリターンスプリング154(図７参照)によって調整スクリュウ158側に附勢され、許容誤差によってキャンセル片82が遊動しないようにしている。
したがって、キャンセル片82の先端128の下縁132の位置は、調整スクリュウ158の先端位置によって決定される。
換言すれば、調整スクリュウ158のねじ込み量を変更することにより傾斜ガイドレール48と下縁132との距離を微調整することができる。
調整スクリュウ158は、ロックナット(図示せず)によりロックされる。
【手続補正７】
【補正対象書類名】明細書
【補正対象項目名】００５７
【補正方法】変更
【補正の内容】
【００５７】
次にキャンセル片82のゲージ位置調整装置162を説明する。
これは、キャンセル片82が取り付け装置92によって大きく位置調整されたとき、その位置に適合するようキャンセル片82の位置を変更するために用いられる。ゲージ位置調整装置162は、図6に示す大径ベアリング溝122と小径ベアリング溝124である。
【手続補正８】
【補正対象書類名】明細書
【補正対象項目名】００５９
【補正方法】変更
【補正の内容】
【００５９】
次にコイン14の検知センサを図1及び図4を参照して説明する。
検知センサは、第1コインセンサ164と第2コインセンサ166を含んでいる。
ゲージ板80の出口18側の端面から傾斜ガイドレール48に沿って伸びるステー168にワンタッチ固定手段(図示せず)によって固定されたブラケット170に第1コインセンサ164と第2コインセンサ166が固定されている。
すなわち、第1コインセンサ164がコイン14の移動方向において、ゲージ装置16の直ぐ下流に配置され、第2コインセンサ166はその下流に配置されている。
第1コインセンサ164および第2コインセンサ166は、一対のアームが傾斜通路114を挟んで投光部と受光部が対向している光電式である。
【手続補正９】
【補正対象書類名】明細書
【補正対象項目名】００６０
【補正方法】変更
【補正の内容】
【００６０】
第1コインセンサ164および第2コインセンサ166は、コイン14が傾斜通路114を転がるとき、コイン14の上端部が光軸を遮ることを検知することによりコイン14を検知する。
第1コインセンサ164および第2コインセンサ166は、前記構造から明らかなように、ゲージ板80と一体化され、一緒に位置調整される。
【手続補正１０】
【補正対象書類名】明細書
【補正対象項目名】００６１
【補正方法】変更
【補正の内容】
【００６１】
この構成により、ゲージ板80は直線Ｌに沿って位置調整されるため、コインサイズが変更された場合、第1コインセンサ164および第2コインセンサ166は傾斜ガイドレール48に対し接近或いは離れるとともに、垂直ガイドレール45に対しても接近或いは離れる。
結果として、コインサイズが変わっても同一タイミングでコイン14は前記光軸を横切るので、第１コインセンサ164および第2コインセンサ166の位置を個別に位置調整したり、検知タイミングの変更をしなくてもよい。
【手続補正１１】
【補正対象書類名】明細書
【補正対象項目名】００６２
【補正方法】変更
【補正の内容】
【００６２】
また、第１コインセンサ164の検知信号に基づいて、キャンセル回路169を介して前記ソレノイド150が励磁される。
すなわち、キャンセル回路169は、図9に示すように、第１コインセンサ164の検知信号Ｔ１から、所定時間ＴＤ遅らせてソレノイド150を消磁することにより、キャンセル片82をキャンセル位置135に移動させ、かつ、ストッパ28を傾斜通路114に突出させる。
前記遅れ時間ＴＤは、コイン14が連続的に転がってきた場合、ストッパ28がそれらの上側の扇形空間に突入できる時間である。
【手続補正１２】
【補正対象書類名】明細書
【補正対象項目名】００７０
【補正方法】変更
【補正の内容】
【００７０】
次に真正コインよりも大径のコイン14が投入されたケースを説明する。
垂直部通路110及び湾曲部通路112を通過した大径コイン14は、傾斜ガイドレール48と傾斜ガイド88により挟まれて転がることができない、すなわち、傾斜通路114で停止される。
この場合、カバー54及び押出片66をピボット運動させることにより、押出片66の下端部160でコイン14を横方向に押しやり、傾斜ガイドレール48から外して落下させ、キャンセルする。
【手続補正１３】
【補正対象書類名】明細書
【補正対象項目名】００７５
【補正方法】変更
【補正の内容】
【００７５】
【図面の簡単な説明】
【図１】
図1は、本発明の実施例のカバーを外した状態の正面図である。
【図２】
図２は、本発明の実施例の正面上方からの分解斜視図である。
【図３】
図３は、本発明の実施例の背面上方からの分解斜視図である。
【図４】
図４は、本発明の実施例の背面図である。
【図５】
図５は、図１におけるＡ−Ａ断面図である。
【図６】
図６は、図1におけるＢ−Ｂ断面図である。
【図７】
図７は、図１におけるＣ−Ｃ断面図である。
【図８】
図８は、本発明の実施例のストッパと小径ゲージの斜視図である。
【図９】
図９は、本発明の実施例の作用説明用のタイミングチャートである。
【符号の説明】
１２  投入口
１４  コイン
１６  ゲージ装置
１８  出口
２２  ガイドレール
２４  大径ゲージ
２６  小径ゲージ
２８  ストッパ
３０  移動装置
１０８  コイン通路
１２６  枢軸
１３３  非キャンセル位置
１３５  キャンセル位置
１４３  キャンセル位置
１４５  非キャンセル位置
１５０  ソレノイド
１６４  コインセンサ
１６９  キャンセル回路
１８０  レバー    
【手続補正１４】
【補正対象書類名】図面
【補正対象項目名】図７
【補正方法】変更
【補正の内容】
【図７】
2004310604.tif 000001
【手続補正１５】
【補正対象書類名】図面
【補正対象項目名】図８
【補正方法】変更
【補正の内容】
【図８】
2004310604.tif 000002
【手続補正１６】
【補正対象書類名】図面
【補正対象項目名】図９
【補正方法】変更
【補正の内容】
【図９】
2004310604.tif 000003